(57)【要約】    【課題】  サーバヘのファイル保存を簡便にすると共に、ファイルに対する任意の処理をファイル種別によらずに共通の方法で実行可能とする。    【解決手段】サーバ１２は、カードスロット２６などファイル入出力部５６から入力されたデータファイルを、サーバ処理部５０がファイル種別に対応した所定の処理ルールに従ってファイル保存部６６に保存する。追加処理指示部５４は追加処理の指示を判別すると、ファイル種別に対応した所定の追加処理をサーバ処理部５０に行わせる。ファイル入出力部５６は、画像データファイル又は音楽データファイルを入力し、ファイル種別に応じて格納する。追加処理指示部５４は、画像ファイルであれば保存と同時にプリンタに印刷出力させ、音楽ファイルであれば保存と同時にクライアントで再生させる。    【選択図】          図１
2005063189.tif 000002
【特許請求の範囲】
【請求項１】
データファイルを入出力するファイル入出力部と、
データファイルを保存するファイル保存部と、
前記ファイル入出力部から入力されたデータファイルを、ファイル種別に対応した所定の処理ルールに従って前記ファイル保存部に保存する処理部と、
追加処理の指示を判別した際に、ファイル種別に対応した所定の追加処理を前記処理部に行わせる追加処理指示部と、
を備えたことを特徴とする電子機器。
【請求項２】
請求項１記載の電子機器に於いて、前記処理部は、前記入力データファイル毎にファイル名を生成し、ファイル種別に対応した前記ファイル保存部の領域の中を、前記入力データファイルの日付情報に基づく日付別の領域に分け、前記ファイル名を付して前記入力データファイルを日付別に分けて保存することを特徴とする電子機器。
【請求項３】
請求項２記載の電子機器に於いて、当該電子機器はサーバであり、前記追加処理指示部は、前記入力データファイルが画像データファイルの場合、前記処理部にプリンタによる印刷出力を行わせることを特徴とする電子機器。
【請求項４】
データファイルを入力するファイル入力ステップと、
入力された前記データファイルを、ファイル種別に対応した所定の処理ルールに従ってファイル保存部に保存するファイル保存ステップと、
追加処理の指示を判別した際に、前記入力データファイルに対しファイル種別に対応した所定の追加処理を行う追加処理ステップと、
を備えたことを特徴とする電子機器処理方法。
【請求項５】
コンピュータに、
データファイルを入力するファイル入力ステップと、
入力された前記データファイルを、ファイル種別に対応した所定の処理ルールに従ってファイル保存部に保存するファイル保存ステップと、
追加処理の指示を判別した際に、前記入力データファイルに対しファイル種別に対応した所定の追加処理を行う追加処理ステップと、
を実施させることを特徴とするプログラム。
【発明の詳細な説明】
【技術分野】
【０００１】
本発明は、ホームネットワーク等で使用されるサーバ等の電子機器、処理方法及びプログラムに関し、特に、デジタルカメラの画像や音楽データを保存管理するサーバ等の電子機器、処理方法及びプログラムに関する。
【背景技術】
【０００２】
近年、パーソナルコンピュータを中心とした情報機器の普及に伴い、家庭内でも複数台のパーソナルコンピュータが使われる状況となり、これらの情報機器をつなぐことにより、ブロードバンド回線や映像・画像データを共有したり、家族間でメッセージをやり取りするホームネットワークの構築が望まれている。
【０００３】
このような家庭内における情報機器の活用に対応するため、ファミリーネットワークステーションとして家庭内の情報機器をつなぐサーバが実用化され、その普及が始まっており、今後、その利用が急速に拡大するものと予想される。
【０００４】
このようなホームネットワークを構築するサーバは、家庭内の情報機器をつないで相互に情報のやり取りを可能にすると同時に、ネットワークに接続している全てのパーソナルコンピュータから利用できるデータを保存するファイルサーバとしての機能を備え、デジタルカメラの写真やオーディオシステムで取り込んだ音楽データを格納し、家族全員で楽しむことができる。
【特許文献１】特開２００２−０３２３０２号公報
【特許文献２】特開２００２−１０１３７３号公報
【特許文献３】特開平０６−１３１２２８号公報
【発明の開示】
【発明が解決しようとする課題】
【０００５】
ところでユーザーがサーバにデータを保存する場合、例えばデジタルカメラで撮影した写真を保存する場合には、デジタルカメラの記録媒体をサーバの例えばＰＣカードスロットにアダプタを使用してセットし、クライアントとして機能するパーソナルコンピュータにインストールしているホームネットワーク用のアプリケーションを開き、例えば、
（１）ファイルの移動
（２）移動先でファイルを選択
（３）ファイルに対して処理を実行
というユーザーによる手順を必要とし、操作が煩雑になる問題があった。
【０００６】
またサーバがデータを保管する際には、ユーザーがフォルダの新規作成を行ってフォルダ名を決めて保管場所を作るという保管場所の管理作業が必要であり、この点でも操作が煩雑になる。
【０００７】
特にサーバとクライアントとなるパーソナルコンピュータが別々の部屋に置かれているような場合には、サーバに媒体をセットした後に、別の部屋に戻ってファイル保存の操作をしなければならず、非常に使いづらい状況が起きる。
【０００８】
更に、データの保存と同時に例えば写真をプリンタで印刷したい場合があるが、データの保存が完了した後に、保存済みのデータに対する別の処理として改めて印刷に必要な操作をクライアント側のパーソナルコンピュータでユーザーがしなければならず、印刷するまでに手間と時間がかかる問題がある。
【０００９】
本発明は、サーバヘのファイル保存を簡便にすると共に、ファイルに対する任意の処理をファイル種別によらずに共通の方法で実行可能とするサーバ、処理方法及びプログラムを提供することを目的とする。
【課題を解決するための手段】
【００１０】
図１は本発明の原理説明図である。本発明は、少なくともクライアント及びプリンタと接続されたサーバ等の電子機器であって、データファイルを入出力するカードスロットインタフェースなどのファイル入出力部５６と、データファイルを保存するファイル保存部６６と、
ファイル入出力部５６から入力されたデータファイルを、ファイル種別に対応した所定の処理ルールに従ってファイル保存部６６に保存するサーバ処理部（処理部）５０と、追加処理の指示を判別した際にファイル種別に対応した所定の追加処理をサーバ処理部５０に行わせる追加処理指示部５４とを備えたことを特徴とする。
【００１１】
ここで、ファイル入出力部５６は、装置のカードスロット等の媒体接続口に直接又はアダプタを介して接続された媒体からデータァイルを入力する。またファイル入出力部５６は、画像データファイル又は音楽データファイルを入力する。
【００１２】
サーバ処理部５０は、ファイル種別毎に応じたファイル保存部６６の領域に入力データファイルを保存する。サーバ処理部５０は、入力データファイル毎にファイル名を生成し、ファイルの種別に対応したファイル保存部６６の領域にファイル名を付して入力データファイルを保存する。
【００１３】
サーバ処理部５０は、ファイル種別に対応したファイル保存部６６の領域の中を、入力データファイルの日付情報に基づく日付別の領域に分けて入力データファイルを保存する。
【００１４】
サーバ処理部５０は、入力データファイル毎にファイル名を生成し、ファイル種別に対応したファイル保存部６６の領域の中を、入力データファイルの日付情報に基づく日付別の領域に分け、ファイル名を付して入力データファイルを日付別に分けて保存する。
【００１５】
サーバ処理部５０は、入力データファイルの日付情報(yyyymmddhh)に連続番号(nn)を加えたファイル名(yyyymmddhhnn)を生成し、ファイル種別に対応したファイル保存部６６の領域の中を日付別の領域に分け、ファイル名を付して入力データファイルを日付別に分けて保存する。
【００１６】
追加処理指示部５４は、装置に設けているスイッチの操作から追加処理の指示を認識して処理する。また追加処理指示部５４は、クライアントからの追加処理の指示を認識して処理する。
【００１７】
追加処理指示部５４は、前記入力データファイルが画像データファイルの場合、前記サーバ処理部５０にプリンタによる印刷出力を行わせる。追加処理指示部５４は、入力データファイルが音楽データファイルの場合、サーバ処理部５０にクライントによる音楽再生を行わせる。
【００１８】
追加処理指示部５０は、入力データファイルが音楽データファイルの場合、サーバ処理部５４にプレイリストを作成させて音楽データファイルと共に音楽サーバに送信させる。
【００１９】
本発明は、少なくともクライアント及びプリンタと接続されたサーバ等の電子機器処理方法を提供する。このサーバ処理方法は、
データファイルを入力するファイル入力ステップと、
入力された前記データファイルを、ファイル種別に対応した所定の処理ルールに従ってファイル保存部に保存するファイル保存ステップと、
追加処理の指示を判別した際に、入力データファイルに対しファイル種別に対応した所定の追加処理を行う追加処理ステップと、
を備えたことを特徴とする。
【００２０】
ここでファイル保存ステップは、入力データファイル毎にファイル名を生成し、ファイル種別に対応したファイル保存部の領域の中を、入力データファイルの日付情報に基づく日付別の領域に分け、ファイル名を付して入力データファイルを日付別に分けて保存する。
【００２１】
追加処理ステップは、入力データファイルが画像データファイルの場合、プリンタに印刷出力を行わせ、入力データファイルが音楽データファイルの場合、クライントに音楽再生を行わせる。
【００２２】
本発明は、少なくともクライアント及びプリンタと接続されたサーバ等の電子機器を構成するコンピュータにより実行されるプログラムを提供する。このプログラムは、コンピュータに、
データファイルを入力するファイル入力ステップと、
入力されたデータファイルを、ファイル種別に対応した所定の処理ルールに従ってファイル保存部に保存するファイル保存ステップと、
追加処理の指示を判別した際に、入力データファイルに対しファイル種別に対応した所定の追加処理を行う追加処理ステップと、
を実施させることを特徴とする。
【００２３】
ここでプログラムのファイル保存ステップは、入力データファイル毎にファイル名を生成し、ファイル種別に対応したファイル保存部の領域の中を、入力データファイルの日付情報に基づく日付別の領域に分け、ファイル名を付して入力データファイルを日付別に分けて保存することを特徴とする。
【００２４】
また追加処理ステップは、入力データファイルが画像データファイルの場合、プリンタに印刷出力を行わせ、前記入力データファイルが音楽データファイルの場合、クライントに音楽再生を行わせる。
【００２５】
なお、これ以外のサーバ処理方法及びプログラムの詳細は、本発明のサーバの場合と同じになる。
【発明の効果】
【００２６】
本発明によれば、サーバ等の電子機器にファイルデータを入力すると、ファイルの種別が判別され、ファイル種別に対応した処理ルールに従い、ユーザーの介在を必要とすることなく、サーバヘのファイル保存を簡便にすることができる。
【００２７】
このためユーザーは、ファイル保存につき、フォルダを新規作成して格納場所を確保したり、ファイル毎に保存先を決めて移動する操作をする必要がなくなる。更にファイルの日付情報からファイル種別に対応した保存領域の中を日付別に分けて保存されるため、ユーザーによるファイル参照などの利用管理が非常に便利になる。
【００２８】
またユーザーがファイル保存と同時にプリンタによる印刷を行いたい場合には、例えばサーバのスイッチ操作で追加処理を指示しておくと、ファイル保存と同時にプリンタによる印刷出力が行われ、ファイル保存以外の処理を簡単に実行できる。
【００２９】
またファイル種別に対応して例えば画像ファイルは印刷出力、音楽ファイルは再生出力というように追加処理を決めておくことで、ファイル種別によらず同じスイッチ操作という共通の操作で、ファイル種別に対応した追加処理を実行できる。
【発明を実施するための最良の形態】
【００３０】
図２は、本発明のサーバが使用されるホームネットワークの説明図である。図２において、ホームネットワーク１０は、本発明のサーバ１２をネットワークステーションとして設置し、サーバ１２に対しＬＡＮケーブル１４によりクライアントとして機能するパーソナルコンピュータ１６を接続し、またサーバ１２が備える無線ＬＡＮを使用してクライアントして機能するパーソナルコンピュータ１８と無線回線で接続している。またサーバ１２に対してはテレビアンテナ１５が接続され、更にプリンタ２０が接続され、加えてモデム２２によってインターネット２４に接続することができる。
【００３１】
本発明のサーバ１２は、このようなホームネットワーク１０の構築により、家族が保有しているパーソナルコンピュータ１６，１８において、インターネット接続の共有、プリンタ２０の共有、ファイルの共有、音楽の共有、テレビの録画視聴などを可能とするネットワーク機能を実現する。
【００３２】
図３は、本発明によるサーバ１２の正面図である。サーバ１２は設置台３０により配置され、正面上部に電源ボタン２５を持ち、下側に媒体接続口となるカードスロット２６とカード取出ボタン２８を設けている。また、カードスロット２６の上には追加処理指示スイッチ３０が設けられている。
【００３３】
図４は、本発明のサーバ１２の背面図である。サーバ１２の配線上部にはＬＡＮアンテナ３２が設けられ、他の情報機器との間で無線ＬＡＮを構築する。サーバ１２の背面には上部より、アンテナ入力端子３５、ビデオ入力端子３６、ライン入力端子３８、更に２つずつのＷＡＮコネクタ４０、ＵＳＢコネクタ４２が設けられている。
【００３４】
図５は、本発明のサーバにおいて、デジタルカメラのメモリカードから画像ファイルを読み込む際の説明図である。デジタルカメラ４４で撮影した画像ファイルをメモリカード４６に保存していることから、このメモリカード４６をカードアダプタ４８にセットしてサーバ１２のカードスロット２６に挿入することで、メモリカード４６のデジタルカメラ４４で撮影した画像ファイルをサーバ１２に取り込むことができる。
【００３５】
メモリカード４６としてはＳＤメモリカードやメモリスティックなどがある。また、デジタルカメラ４４に対しＵＳＢケーブルを使ってサーバ１２に接続することで直接画像データを取り込んでもよい。更に、デジタルカメラの撮影画像を別途プリンタで印刷しているような場合には、スキャナで画像データを読み込んでサーバ１２に取り込むこともできる。
【００３６】
図６は、本発明によるサーバ１２の機能構成を示したブロック図である。図６において、サーバ１２に対してはＬＡＮケーブル１４により例えばパーソナルコンピュータ１６、プリンタ２０、モデム２２を接続しており、また無線ＬＡＮによりパーソナルコンピュータ１８を接続している。
【００３７】
サーバ１２には、サーバ処理部５０、処理ルール定義部５２、追加処理指示部５４、追加処理指示スイッチ３０、ファイル入出力部５６、ＬＡＮ制御部５８、無線ＬＡＮ制御部６０及びファイル保存部６６が設けられる。ここでファイル入出力部５６としては、図５のように、メモリカードをカードアダプタ４８により挿入して入力するカードスロットインタフェースやＵＳＢケーブルによるＵＳＢインタフェースなど、適宜の入出力インタフェースを含んでいる。
【００３８】
サーバ処理部５０には、この実施形態にあっては、デジタルカメラで撮影した画像ファイルとインターネットあるいはオーディオ装置から取り込んだ音楽ファイルを処理対象とすることから、画像処理部６２と音楽処理部６４を設けている。
【００３９】
またファイル保存部６６は、サーバ処理部５０で処理するファイル種別に応じて、画像ファイル領域６８、音楽ファイル領域７０、他のファイル領域７２を設けている。このうち画像ファイル領域６８には、日付別に分けて画像ファイルを格納する日付別ファイル領域７４−１，７４−２が設けられている。
【００４０】
一方、クライアントとして機能するパーソナルコンピュータ１６，１８には、ＷＷＷブラウザ７５−１，７５−２と、本発明のホームネットワークに対応したホームネットワークアプリケーション７６−１，７６−２がインストールされている。更に、この例ではパーソナルコンピュータ１６側に、音楽サーバ７７がアプリケーションプログラムとしてインストールされている。
【００４１】
サーバ１２に設けたサーバ処理部５０は、ファイル入出力部５６から入力されたデータファイルをファイル種別に対応した所定のルールに従ってファイル保存部６６に保存する。また追加処理指示部５４は、追加処理指示スイッチ３０もしくは後の説明で明らかにするパーソナルコンピュータ側からの追加処理の指示を判別した際に、ファイル種別に対応した所定の処理をサーバ処理部５０に行わせる。
【００４２】
この実施形態にあっては、サーバ処理部５０はデジタルカメラの画像ファイルと音楽ファイルを取り扱うことから、追加処理指示部５４は画像ファイルを保存する際に追加指示を判別した場合には、プリンタ２０による印刷出力を同時に行わせる。また追加処理指示部５４は、音楽ファイルを保存する際に追加処理の指示を判別した場合には、パーソナルコンピュータ１６または１８に対する音楽ファイルの送信で再生を同時に行わせる。
【００４３】
この追加処理の指示に基づく音楽ファイルの保存と同時に行う追加処理としては、保存対象として入力された音楽ファイルからプレイリストを作成し、作成したプレイリストを、パーソナルコンピュータ１６をインストールしている音楽サーバ７７に送信させる処理を行うようにしてもよい。
【００４４】
サーバ処理部５０によるファイル種別に応じたファイル保存のための処理ルール、及び追加処理指示部５４で追加処理の指示を判別した際のファイル種別に応じた追加処理については、処理ルール定義部５２に定義されている。
【００４５】
図７は、本発明のサーバ１２が適用されるコンピュータのハードウェア環境の説明図である。図７のコンピュータにおいて、ＣＰＵ９０のバス９１には、ＲＡＭ９２、ハードディスクドライブ９６を制御するハードディスクコントローラ９４、カードスロット２６、ＷＡＮコネクタ４０，ＵＳＢコネクタ４２を接続した入出力インタフェースボード９８、ＬＡＮケーブル１４を接続した有線ＬＡＮ用通信ボード１００、無線ＬＡＮ用通信ボード１０２、更に本発明で使用する追加処理指示スイッチ３０を備えた操作表示部１０４が接続される。
【００４６】
ハードディスクドライブ９６には、本発明のサーバ処理を実行するプログラムがローディングされており、コンピュータの起動時にハードディスクドライブ９６からハードディスクコントローラ９４が必要なプログラムを呼び出してＲＡＭ９２上に展開し、ＣＰＵ９０により実行する。
【００４７】
入出力インタフェースボード９８は、カードスロット２６、ＷＡＮコネクタ４０及びＵＳＢコネクタ４２のそれぞれに対応したインタフェース機能を備えており、本発明のサーバ処理にあっては画像ファイルや音楽ファイルの入出力処理を行う。
【００４８】
有線ＬＡＮ用通信ボード１００はＬＡＮインタフェース機能を備えており、ＬＡＮケーブル１４で接続しているパーソナルコンピュータ１６、プリンタ２０、モデム２２との間でデータのやり取りを行う。
【００４９】
無線ＬＡＮ用通信ボード１０２は無線ＬＡＮインタフェース機能を備え、無線回線により例えばパーソナルコンピュータ１８との間でデータのやり取りを行う。更に操作表示部１０４は、図３及び図４に示した本発明のサーバ１２に設けている各種の操作部及び表示部を備えており、このうち本発明のサーバ処理で使用する追加処理指示スイッチ３０を取出して示している。
【００５０】
図８は、図６のサーバ１２に設けた処理ルール定義部５２に定義されているファイル種別対応処理リスト１０６の説明図である。ファイル種別対応処理リスト１０６は、ファイル種別ごとにファイル保存のための処理ルールと追加処理指示で行う追加処理ルールとを定義している。
【００５１】
この例では、画像ファイルに対する処理ルールとして「画像ファイル領域に保存」と、追加処理ルールとして「印刷出力／クライアント送信」を定義している。また音楽ファイルについては、処理ルールとして「音楽ファイル領域に保存」を定義し、追加処理ルールとしては「再生／音楽サーバへの送信」を定義している。
【００５２】
更に、その他のファイルとしての処理ルールは「他のファイル領域に保存」であり、この場合の追加処理ルールは「なし」となっている。なお画像ファイルと音楽ファイルの追加処理ルールは、この例では２つ挙げているが、いずれか一方が選択的に定義される。
【００５３】
図９は、図８の画像ファイルに対する「画像ファイル領域に保存」とする処理ルールについてモード分けをした画像ファイル対応処理リスト１０８の説明図である。即ち、画像ファイルを画像ファイル領域に保存する処理ルールであっても、その保存のための処理内容として複数の処理形態が考えられる。
【００５４】
そこで本発明にあっては、画像ファイル対応処理リスト１０８に画像ファイル処理モードとしてモード１、モード２、モード３の３つを予め定義しており、必要に応じてユーザーが処理内容を選択設定できるようにしている。このモード１〜３は例えば次のようになる。
【００５５】
（モード１）
入力した画像ファイルをそのまま保存する。
【００５６】
（モード２）
入力した画像ファイルの日付情報ｙｙｙｙｍｍｄｄｈｈと連続番号ｎｎからファイル名ｙｙｙｙｍｍｄｄｈｈｎｎを生成して、このファイル名を付加して画像ファイルを保存する。
【００５７】
（モード３）
入力画像ファイルの日付情報ｙｙｙｙｍｍｄｄｈｈと連続番号ｎｎからファイル名ｙｙｙｙｍｍｄｄｈｈｎｎを生成した後に、日付別に即ちファイル名の中のｙｙｙｙｍｍｄｄが共通するファイルごとに各画像ファイルを分類し、日付別ファイル領域に分けて保存する。
【００５８】
図１０は、本発明にサーバ１２のファイル管理に使用されるクライアント側となるパーソナルコンピュータ１６及び１８の共有フォルダ画面１１０の説明図であり、図６のように、パーソナルコンピュータ１６，１８に設けているホームネットワークアプリケーション７６−１，７６−２の実行により提供される。
【００５９】
図１０の共有フォルダ画面１１０にあっては、取込み写真フォルダ１１２、アルバムフォルダ１１４、個人アルバムフォルダ１１６、ミュージックフォルダ１１８、個人データフォルダ１２０及び、お気に入りフォルダ１２２が表示されている。
【００６０】
取込み写真ファイル１１２はデジタルカメラの画像ファイルが保存されるもので、ディフォルトとしては図９のモード３による処理内容を持つ画像ファイルの保存処理ルールに従った保存が行われている。
【００６１】
即ち、画像ファイルの取込みを行った年月日時を基に「年月日時＋２桁の連続番号」となる「ｙｙｙｙｍｍｄｄｈｈｎｎ」のフォルダ名で新規フォルダを作成され、その中に画像ファイルが格納される。この取込み写真フォルダ１１２に取り込んだ画像ファイルについては、ファイル編集処理によってフォルダ名を変更したり、アルバムフォルダ１１４や個人アルバムフォルダ１１６にコピーするなどして、整理することができる。
【００６２】
アルバムフォルダ１１４は、ネットワークでつながっているパーソナルコンピュータ１６，１８のホームネットワークアプリケーション７６−１，７６−２により表示することができ、家族全員で利用できる。
【００６３】
個人アルバムファイル１１６はフォルダの所有者だけが見ることができ、他の人からは見ることができない。但し、管理者による個人フォルダ参照をチェックすることで他の者が見ることも可能である。
【００６４】
ミュージックフォルダ１１８には、メモリカード、ＣＤ、インターネットなどから入力した音楽ファイルが格納される。このミュージックフォルダ１１８に格納した音楽ファイルについては、音楽ファイルのフォルダ種別に対応した追加処理によりプレイリストを作成して、図６のパーソナルコンピュータ１６にインストールしている音楽サーバ７７に送信し、音楽サーバ７７に対する他のパーソナルコンピュータからのアクセスでプレイリストをクリックすると、クリックした音楽ファイルがミュージックフォルダ１１８から読み出され、要求元のパーソナルコンピュータに送信されて音楽再生ができる。
【００６５】
もちろん、本発明の音楽ファイルの保存処理と同時に追加処理の指示が判別されると、特定のパーソナルコンピュータに音楽ファイルを送信して音楽再生を同時に行わせることができる。
【００６６】
図１１は、本発明のサーバ１２の処理ルール定義部５２に対し画像ファイルの対応処理を設定するパーソナルコンピュータの画像ファイル処理ルール設定画面の説明図である。この画像ファイル処理ルール設定画面１２４は、基本処理１２６として、チェックボックス１３０の「そのまま保存する。」、チェックボックス１３２の「日付タイトルを付けて保存する。」、チェックボックス１３４の「日付タイトルを付け日付別に保存する。」の３つがあり、ディフォルトとしてチェックボックス１３４が設定されている。
【００６７】
また追加処理１２８としては、チェックボックス１３６の「プリンタで印刷する。」とチェックボックス１３８の「別のパソコンに送る。」の２つがあり、ディフォルトとしてはチェックボックス１３６が設定されている。
【００６８】
このためユーザーにあっては、ディフォルト以外の画像ファイル処理ルールを設定したい場合には、この画像ファイル処理ルール設定画面１２４を開き、基本処理１２６について必要とするチェックボックスを選び、また追加処理１２８についても必要とするチェックボックスを選び、ＯＫボタン１４０をクリックすると、この設定内容に図８のファイル種別対応処理リスト１０６が設定変更されることになる。
【００６９】
もちろん、基本処理１２６における３つのチェックボックス１３０，１３２，１３４は、図９に示す画像ファイル対応処理リスト１０８のモード１〜３のいずれかの設定を表わしている。
【００７０】
図１２は、本発明のサーバ１２で保存する音楽ファイル処理ルール設定画面１４４の説明図である。この音楽ファイル処理ルール設定画面１４４にあっては、基本処理１４６として、チェックボックス１５０の「そのまま保存する。」、チェックボックス１５２の「日付タイトルを付けて保存する。」及びチェックボックス１５４の「日付タイトルを付け日付別に保存する。」の３つが設けられ、また追加処理１４８については、チェックボックス１５６の「再生する。」とチェックボックス１５８の「音楽サーバに送る。」の２つが設けられている。
【００７１】
そしてディフォルトとしては、基本処理１４６についてはチェックボックス１５４が設定され、追加処理１４８についてはチェックボックス１５８が設定されている。なお基本処理１４６のチェックボックス１５２，１５４で行われる日付タイトルは、音楽ファイルの場合、仮のものであり、音楽ファイルを格納した後の編集処理において曲名、演奏者名などを編集することができる。またＣＤなどから入力した音楽ファイルについては、曲名、演奏者名等の情報が付加されていることから、このような音楽情報に基づいて自動的にタイトルを付け、ジャンルによって保存先を分けるようにしてもよい。
【００７２】
なお、図１１及び図１２のルール設定画面を設けず、固定的に基本処理と追加処理の処理ルールを定義したものであっても良い。
【００７３】
図１３は、本発明のサーバ１２に対し追加処理を指示するパーソナルコンピュータのファイル管理画面１６４の説明図である。図６に示したサーバ１２の追加処理指示部５４にあっては、サーバ１２自体に設けている追加処理指示スイッチ３０の操作による以外に、クライアントとして機能するパーソナルコンピュータ１６，１８のホームネットワークアプリケーション７６−１，７６−２によっても追加処理の指示を行うことができる。
【００７４】
このパーソナルコンピュータ１６，１８側からの追加処理の指示のため、図１３のようなファイル管理画面１６４が使用される。ファイル管理画面１６４はファイルまたはフォルダの保存先１６６を有し、更にチェックボックス１６８により「追加処理を実行する」が指定でき、またチェックボックス１７０により「サーバにファイルを保存しない」を選択することができる。
【００７５】
この例ではチェックボックス１６８をクリックして「追加処理を実行する」を設定しており、この状態で実行ボタン１７２をクリックすると、サーバ１２の追加処理指示部５４に対しファイル入力に伴うファイル種別に応じた保存と同時に追加処理が行われることになる。また、このファイル管理画面１６４にあっては、チェックボックス１７０をクリックすると、サーバにファイルを保存することなく追加処理を実行させることができる。
【００７６】
図１４は、図６に示した本発明サーバ１２におけるファイル入力に伴うサーバ処理の処理手順を示したフローチャートであり、この内容がサーバ１２の処理プログラムに対応している。
【００７７】
図１４において、まずステップＳ１で例えばカードスロット２６に対する媒体挿入の有無をチェックしている。カードスロット２６に対し、例えば図５に示したようにデジタルカメラ４４で撮影した画像を格納したメモリカード４６をカードアダプター４８にセットして挿入すると、このメモリカードの挿入が判別され、ステップＳ２に進む。
【００７８】
ステップＳ２にあってはカードスロットに挿入した媒体からファイルの種別を認識する。この実施形態にあってはファイルの種別としては画像ファイル、音楽ファイル、その他のファイルのいずれかである。
【００７９】
次にステップＳ４でデジタルカメラの画像ファイルか否か判別し、画像ファイルであればステップＳ５に進んで画像ファイルの処理を実行する。画像ファイルでなければステップＳ３で音楽ファイルか否か判別する。音楽ファイルであればステップＳ６に進み音楽ファイル処理を実行する。ステップＳ４で音楽ファイルでなければステップＳ７に進み他のファイル処理を実行する。
【００８０】
図１５は、図１４のステップＳ５の画像ファイル処理のフローチャートである。この画像ファイル処理にあっては、ステップＳ１で画像ファイルの保存処理を実行した後、ステップＳ２で追加処理指示があるか否か判別し、追加処理の指示があればステップＳ３に進み、画像ファイルを印刷出力させる。
【００８１】
図１６は、図１４のステップＳ５の画像ファイル処理の他の処理形態のフローチャートである。この画像ファイル処理にあってはステップＳ１で追加処理の指示があるか否か判別し、指示がなければステップＳ２で画像ファイルの保存処理を実行する。一方、ステップＳ１で追加処理の指示があった場合にはステップＳ３で画像ファイルのプリンタによる印刷出力を行う。
【００８２】
この場合には画像ファイルの保存は行われないことになる。この図１６における画像ファイル処理は図１３のファイル管理画面１６４でチェックボックス１６８による追加処理の実行に加え、チェックボックス１７０でサーバにファイルを保存しない処理を設定して、サーバ１２に通知した場合の処理に対応している。
【００８３】
また図１５で追加処理の指示があった際に画像ファイルを保存し、且つ画像ファイルの印刷出力をする場合と、図１６で追加指示があった場合には画像ファイルを保存せずに画像ファイルの印刷出力を行なう２つの画像ファイルの処理方法の切り分けは、パーソナルコンピュータのファイル管理画面１６４による設定以外に、サーバ１２に設けている追加処理指示スイッチ３０の操作タイミングにより分けることができる。
【００８４】
例えば
（１）媒体をカードスロットに挿入
（２）追加処理指示スイッチ３０を操作
となる順番の場合には、図１５の画像ファイル処理を実行する。
【００８５】
これに対し
（１）追加処理指示スイッチ３０の操作
（２）カードスロット２６に対する媒体の挿入
の順番となった場合には、ファイルを保存せずにプリンタから印刷出力させる図１６の画像ファイル処理を行わせる。
【００８６】
図１７は、図１５及び図１６における追加処理の指示の判別に使用する追加処理指示フラグの制御処理を示したフローチャートである。この追加処理指示フラグをオンすることで追加処理の指示があることが判別され、オフすることで追加処理の指示がないことが判別される。
【００８７】
図１７において、まずステップＳ１でパーソナルコンピュータからの追加処理の指示の有無をチェックしており、パーソナルコンピュータからの指示がなければステップＳ２に進みサーバ１２の追加処理指示スイッチ３０のオンをチェックする。追加処理指示スイッチ３０のオンが判別されると、ステップＳ３で追加処理指示フラグをオンする。続いてステップＳ４でタイマーをセットする。
【００８８】
タイマーをセットした後、ステップＳ５でカードスロット２６に媒体が挿入されたか否か判別する。媒体の挿入がなければステップＳ６に進み、ステップＳ４でセットしたタイマーが一定時間を経過したか否か判別する。一定時間を経過していなければステップＳ５に戻りカードスロットに対する媒体挿入をチェックしている。
【００８９】
ステップＳ６でタイマーが一定時間を経過するとステップＳ７に進み、追加処理指示フラグをオフする。即ち、このステップＳ２〜Ｓ７の処理にあってはサーバ１２の追加処理指示スイッチ３０をオン操作するとタイマーによる一定時間の間、媒体挿入が行なわれるか否か監視しており、媒体挿入がなければ追加処理指示スイッチ３０のオン操作による機能を解除するようにしている。
【００９０】
ステップＳ５で追加処理指示スイッチ３０のオンから一定時間を経過する前にカードスロット２６に媒体が挿入されたことが判別されると、ステップＳ９に進み追加処理の終了をチェックする。追加処理が終了したならばステップＳ１０に進み追加処理指示フラグをオフする。
【００９１】
一方、ステップＳ１でパーソナルコンピュータからの図１３に示したようなファイル管理画面１６４による追加処理の指示があった場合には、ステップＳ８に進み追加処理指示フラグをオンし、ステップＳ９で追加処理の終了を監視し、終了を判別するとステップＳ１０で追加処理指示フラグをオフするようになる。
【００９２】
尚、追加処理指示フラグの制御にあっては、追加処理の途中での停止を可能とするため、追加処理指示フラグをオンしている際に追加処理指示スイッチ３０を再度オン操作したならばフラグをオフにして追加処理を途中で強制終了させるようにしても良い。
【００９３】
図１８は、図１５及び図１６における画像ファイル保存処理のフローチャートであり、図９の画像ファイル対応処理リスト１０８におけるモード３の設定により画像ファイルにファイル名を付して日付別に分けて格納する場合の処理を例にとっている。
【００９４】
図１８において、ステップＳ１において媒体から画像ファイルをコピーした後、ステップＳ２で画像ファイルの日付情報となる取り込みの際の年月日時「ｙｙｙｙｍｍｄｄｈｈ」を取得し、ステップＳ３に進み、これに連番「ｎｎ」を付加してファイル名「ｙｙｙｙｍｍｄｄｈｈｎｎ」を生成する。
【００９５】
続いてステップＳ４で全ファイルの処理が済んだか否かチェックし、処理が済んでなければステップＳ２に戻り次の画像ファイルにおけるファイル名の生成処理を行なう。ステップＳ４で全ファイルについてファイル名の処理が済むとステップＳ５に進み、ファイル名中の年月日ｙｙｙｙｍｍｄｄ」が共通する画像ファイル単位に分類し、これに日付別に画像ファイルを分離する。
【００９６】
次にステップＳ６でフォルダ名を「ｙｙｙｙｍｍｄｄ」とする日付別フォルダを生成し、ステップＳ７で各画像ファイルを対応する日付別のフォルダに格納する。このような画像ファイルの保存処理によればデジタルカメラのメモリカードから入力された多数の画像ファイルにつき、画像ファイルがそれぞれ持っている年月日時情報に基づいて日付別に分けたフォルダ単位に画像ファイルを分類して保存することができ、後に保存ファイルを開いてファイル名を変更したり、図１０に示す共有フォルダ画面１１０に示すアルバムフォルダ１１４や個人アルバムフォルダ１１６にコピーしてアルバムを作成する際などに、日付別にまとまっていることからその編集作業をより行いやすくできる。
【００９７】
図１９は、図１５及び図１６における他の画像ファイル保存処理のフローチャートであり、この処理は図９の画像ファイル対応処理リスト１０８のモード１の処理内容を持っている。即ち図１９の画像ファイル保存処理にあってはステップＳ１で媒体から画像ファイルをコピーした後、ステップＳ２で画像ファイル領域にそのまま保存する。
【００９８】
図２０は、図１５及び図１６における他の画像ファイル保存処理のフローチャートであり、図９の画像ファイル対応処理リスト１０８のモード２の処理内容に対応している。
【００９９】
この図２０の画像ファイル保存処理にあっては、ステップＳ１において媒体から画像ファイルをコピーした後、ステップＳ２で画像ファイルの年月日時「ｙｙｙｙｍｍｄｄｈｈ」を取得し、ステップＳ３でこれに連番「ｎｎ」を付してファイル名「ｙｙｙｙｍｍｄｄｈｈｎｎ」を生成する。このステップＳ２，Ｓ３の処理を全ファイルについて処理したことをステップＳ４で判別すると、ステップＳ５で生成したファイル名を付して画像ファイル領域に保存する。
【０１００】
図２１は、図１４の音楽ファイル処理のフローチャートである。この音楽ファイル処理にあってはステップＳ１で音楽ファイル保存処理を実行した後、ステップＳ２で追加処理の指示の有無をチェックし、追加処理の指示があればステップＳ３で音楽ファイル再生または音楽サーバへの送信を行なう。
【０１０１】
図２２は、図１４の音楽ファイル処理の他のフローチャートである。この音楽ファイル処理にあってはステップＳ１で追加処理指示の有無をチェックし、指示がなければステップＳ２で音楽ファイルの保存処理を実行する。一方、ステップＳ１で追加処理の指示を判別した場合にはステップＳ３に進み、音楽ファイルの再生または音楽サーバへの送信を行い、この場合には音楽ファイルの保存は行なわないようになる。
【０１０２】
この図２１の音楽ファイル処理は図１５の画像ファイル処理に対応しており、また図２２の音楽ファイル処理は図１６の画像ファイル処理に対応している。
【０１０３】
図２３は、図６のサーバ１２に設けている処理ルール定義部５２に設定されるファイル種別対応リスト１７６の他の実施形態であり、ファイル種別対応処理リスト１７６にあっては音楽再生について保存再生とストリーミング再生を設定できるようにしたことを特徴とする。
【０１０４】
図２３はファイル種別対応処理リスト１７６の説明図である。ファイル種別対応処理リスト１７６は画像ファイル及びその他のファイルについては、図８のファイル種別対応処理リスト１０６と同じであるが、音楽ファイルについては追加の処理指示がない場合の処理ルールは「音楽領域に保存」と同じであるが、追加処理ルールについて「音楽ストリーミング再生／保存後に音楽再生」のいずれか一方を選択できるようにしている。
【０１０５】
図２４は、図２３のファイル種別対応処理リスト１７６における音楽ファイル処理ルールの設定に使用する音楽ファイル処理ルール設定画面１４４−１の説明図である。この音楽ファイル処理ルール設定画面１４４−１は、追加処理１４８としてチェックボックス１７８により「音楽をストリーミング再生する」を設定でき、またチェックボックス１８０により「保存後に音楽を再生する」を設定することができる。この追加処理１４８につき例えばチェックボックス１７８が利用途として設定されている。
【０１０６】
ここで音楽ストリーミング再生はカードスロット２６に挿入した媒体から音楽ファイルをコピーする際にバッファに対するコピー量が所定値に達成すると音楽再生が開始され、コピーと再生を並行して行なうことができ、ほぼリアルタイムの音楽再生が可能となる。
【０１０７】
これに対し、保存後の音楽再生は、音楽ファイルをバッファ上にコピーし終わった後に再生を開始することとなり、音楽ファイルをコピーする時間分だけの再生遅れを生ずることになる。従ってユーザーは必要に応じてストリーミング再生するか保存後の音楽再生をするかを音楽ファイル処理ルール設定画面１４４−１を使用してサーバ１２の処理ルール定義部５２に追加処理ルールとして設定することができる。
【０１０８】
尚、上記の実施形態は、本発明を適用する電子機器としてサーバを例にとるものであったが、本発明はこれに限定されず、通常サーバと呼ばれていないパーソナルコンピュータに本発明を適用した場合も含み、サーバに限定されない。
【０１０９】
また上記の実施形態にあってはサーバ１２のカードスロット２６に媒体を挿入してデータを入力する際のファイル保存及び追加処理指示による追加処理を例にとるものであったが、同時に複数の入出力処理部を使用してデータファイルの入力を行なうこともできる。例えばカードスロットに対する媒体挿入によるファイル入力と同時にＷＡＮコネクタ４０やＵＳＢコネクタ４２に対するファイル入力を並列的に行い、ファイル保存を処理することのできる。
【０１１０】
このように複数のファイルを同時に入力する場合の追加処理については各入力ごとに専用の追加処理指示スイッチを設ければよい。またパーソナルコンピュータ側からの追加処理の指示については各入力ごとに個別に追加処理の指示が設定できるファイル管理画面を準備すればよい。
【０１１１】
また上記の実施形態は入力対象とするデータファイルとしてデジタルカメラ４４の画像ファイルとＣＤやメモリカードなどでとった音楽ファイルを例にとるものであったが、本発明はこれに限定されず適宜の画像ファイルやデータファイルにつき、そのまま適用することができる。
【０１１２】
また入力したデータファイルを保存するための保存領域の分け方やファイルに付加するファイル名の付け方についても上記の実施形態に限定されず必要に応じて適宜の処理を行なうことができる。
【０１１３】
ここで本発明の特徴を列挙すると、次の付記のようになる。
（付記）
（付記１）
データファイルを入出力するファイル入出力部と、
データファイルを保存するファイル保存部と、
前記ファイル入出力部から入力されたデータファイルを、ファイル種別に対応した所定の処理ルールに従って前記ファイル保存部に保存する処理部と、
追加処理の指示を判別した際に、ファイル種別に対応した所定の追加処理を前記処理部に行わせる追加処理指示部と、
を備えたことを特徴とする電子機器。（１）
【０１１４】
（付記２）
付記１記載の電子機器に於いて、前記ファイル入出力部は、装置の媒体接続口に直接又はアダプタを介して接続された媒体からデータファイルを入力することを特徴とする電子機器。
【０１１５】
（付記３）
付記１記載の電子機器に於いて、前記ファイル入出力部は、画像データファイル又は音楽データファイルを入力することを特徴とする電子機器。
【０１１６】
（付記４）
付記１記載の電子機器に於いて、前記処理部は、ファイル種別毎に応じた前記ファイル保存部の領域に前記入力データファイルを保存することを特徴とする電子機器。
【０１１７】
（付記５）
付記１記載の電子機器に於いて、前記処理部は、前記入力データファイル毎にファイル名を生成し、ファイルの種別に対応した前記ファイル保存部の領域に前記ファイル名を付して前記入力データファイルを保存することを特徴とする電子機器。
【０１１８】
（付記６）
付記１記載の電子機器に於いて、前記処理部は、ファイル種別に対応した前記ファイル保存部の領域の中を、前記入力データファイルの日付情報に基づく日付別の領域に分けて前記入力データファイルを保存することを特徴とする電子機器。
【０１１９】
（付記７）
付記１記載の電子機器に於いて、前記処理部は、前記入力データファイル毎にファイル名を生成し、ファイル種別に対応した前記ファイル保存部の領域の中を、前記入力データファイルの日付情報に基づく日付別の領域に分け、前記ファイル名を付して前記入力データファイルを日付別に分けて保存することを特徴とする電子機器。（２）
【０１２０】
（付記８）
付記７記載の電子機器に於いて、前記処理部は、前記入力データファイルの日付情報に連続番号を加えたファイル名を生成し、ファイル種別に対応した前記ファイル保存部の領域の中を日付別の領域に分け、前記ファイル名を付して入力データファイルを日付別に分けて保存することを特徴とする電子機器。
【０１２１】
（付記９）
付記７記載の電子機器に於いて、当該電子機器はサーバであり、前記追加処理指示部は、装置に設けているスイッチの操作から追加処理の指示を認識して処理することを特徴とする電子機器。
【０１２２】
（付記１０）
付記７記載の電子機器に於いて、当該電子機器はサーバであり、前記追加処理指示部は、前記クライアントからの追加処理の指示を認識して処理することを特徴とする電子機器。
【０１２３】
（付記１１）
付記７記載の電子機器に於いて、当該電子機器はサーバであり、前記追加処理指示部は、前記入力データファイルが画像データファイルの場合、前記処理部にプリンタによる印刷出力を行わせることを特徴とする電子機器。（３）
【０１２４】
（付記１２）
付記７記載の電子機器に於いて、当該電子機器はサーバであり、前記追加処理指示部は、前記入力データファイルが音楽データファイルの場合、前記処理部に前記クライントによる音楽再生を行わせることを特徴とする電子機器。
【０１２５】
（付記１３）
付記７記載の電子機器に於いて、前記追加処理指示部は、前記入力データファイルが音楽データファイルの場合、前記処理部にプレイリストを作成させて前記音楽データファイルと共に音楽電子機器に送信させることを特徴とする電子機器。
【０１２６】
（付記１４）
データファイルを入力するファイル入力ステップと、
入力された前記データファイルを、ファイル種別に対応した所定の処理ルールに従ってファイル保存部に保存するファイル保存ステップと、
追加処理の指示を判別した際に、前記入力データファイルに対しファイル種別に対応した所定の追加処理を行う追加処理ステップと、
を備えたことを特徴とする電子機器処理方法。
【０１２７】
（付記１５）
付記１４記載の電子機器処理方法に於いて、前記ファイル保存ステップは、前記入力データファイル毎にファイル名を生成し、ファイル種別に対応した前記ファイル保存部の領域の中を、前記入力データファイルの日付情報に基づく日付別の領域に分け、前記ファイル名を付して前記入力データファイルを日付別に分けて保存することを特徴とする電子機器処理方法。（４）
【０１２８】
（付記１６）
付記１４記載の電子機器処理方法に於いて、当該電子機器はサーバであり、前記追加処理ステップは、前記入力データファイルが画像データファイルの場合、当該サーバに接続されたプリンタに印刷出力を行わせ、前記入力データファイルが音楽データファイルの場合、当該サーバに接続されたクライントに音楽再生を行わせることを特徴とする電子機器処理方法。
【０１２９】
（付記１７）
データファイルを入力するファイル入力ステップと、
入力された前記データファイルを、ファイル種別に対応した所定の処理ルールに従ってファイル保存部に保存するファイル保存ステップと、
追加処理の指示を判別した際に、前記入力データファイルに対しファイル種別に対応した所定の追加処理を行う追加処理ステップと、
を実施させることを特徴とするプログラム。
【０１３０】
（付記１８）
付記１７記載のプログラムに於いて、前記ファイル保存ステップは、前記入力データファイル毎にファイル名を生成し、ファイル種別に対応した前記ファイル保存部の領域の中を、前記入力データファイルの日付情報に基づく日付別の領域に分け、前記ファイル名を付して前記入力データファイルを日付別に分けて保存することを特徴とするプログラム。（５）
【０１３１】
（付記１９）
付記１７記載のプログラムに於いて、前記追加処理ステップは、前記入力データファイルが画像データファイルの場合、前記コンピュータに接続されたプリンタに印刷出力を行わせ、前記入力データファイルが音楽データファイルの場合、前記コンピュータに接続されたクライントに音楽再生を行わせることを特徴とするプログラム。
【図面の簡単な説明】
【０１３２】
【図１】本発明の原理説明図
【図２】本発明が適用されるホームネットワークの説明図
【図３】本発明によるサーバの正面図
【図４】本発明によるサーバの背面図
【図５】デジタルカメラのメモリカードを本発明のサーバのカードスロットに挿入する際の説明図
【図６】本発明によるサーバの機能構成を示したブロック図
【図７】本発明のサーバが適用されるコンピュータのハードウェア環境の説明図
【図８】本発明のファイル処理で定義されているファイル種別対応処理リストの説明図
【図９】本発明の画像ファイルにおける異なる処理ルールを定義した画像ファイル対応処理リストの説明図
【図１０】本発明のサーバのファイル管理に使用されるクライアントの共有フォルダ画面の説明図
【図１１】本発明のサーバに対し画像ファイルの対応処理を設定する画像ファイル処理ルール設定画面の説明図
【図１２】本発明のサーバに対し音楽ファイルの対応処理を設定する音楽ファイル処理ルール設定画面の説明図
【図１３】本発明のサーバに対し追加処理を指示するクライアントのファイル管理画面の説明図
【図１４】本発明のサーバ処理を示したフローチャート
【図１５】図１４の画像ファイル処理のフローチャート
【図１６】図１４の他の画像ファイル処理のフローチャート
【図１７】図１５及び図１６における追加処理指示のフラグ制御を示したフローチャート
【図１８】図１５及び図１６における画像ファイル保存処理のフローチャート
【図１９】図１５及び図１６における他の画像ファイル保存処理のフローチャート
【図２０】図１５及び図１６における他の画像ファイル保存処理のフローチャート
【図２１】図１４の音楽ファイル処理のフローチャート
【図２２】図１４の他の音楽ファイル処理のフローチャート
【図２３】音楽再生につき保存再生とストリーミング再生を設定した本発明のファイル処理で定義されているファイル種別対応処理リストの説明図
【図２４】本発明のサーバに対し音楽ファイルの対応処理を設定する他の音楽ファイル処理ルール設定画面の説明図
【符号の説明】
【０１３３】
１０：ホームネットワーク
１２：サーバ
１４：ＬＡＮケーブル
１５：テレビアンテナ
１６，１８：パーソナルコンピュータ
２０：プリンタ
２２：モデム
２４：インターネット
２５：電源ボタン
２６：カードスロット
２８：カード取出ボタン
３０：追加処理指示スイッチ
３２：ＬＡＮアンテナ
３４：設置台
３５：アンテナ入力端子
３６：ビデオ入力端子
３８：ライン入力端子
４０：ＷＡＮコネクタ
４２：ＵＳＢコネクタ
４４：デジタルカメラ
４６：メモリカード
４８：カードアダプタ
５０：サーバ処理部
５２：処理ルール定義部
５４：追加処理指示部
５６：ファイル入出力部
５８：ＬＡＮ制御部
６０：無線ＬＡＮ制御部
６２：画像処理部
６４：音楽処理部
６６：ファイル保存部
６８：画像ファイル領域
７０：音楽ファイル領域
７２：他のファイル領域
７４−１，７４−２：日付別ファイル領域
７５−１，７５−２：ＷＷＷブラウザ
７６−１，７６−２：ホームネットワークアプリケーション
７７：音楽サーバ
１０６，１７６：ファイル種別対応処理リスト
１０８：画像ファイル対応処理リスト
１１０：共有フォルダ画面
１２４：画像ファイル処理ルール設定画面
１４４，１４４−１：音楽ファイル処理ルール設定画面
１６４：ファイル管理画面
【図１】
2005063189.tif 000003
【図２】
2005063189.tif 000004
【図３】
2005063189.tif 000005
【図４】
2005063189.tif 000006
【図５】
2005063189.tif 000007
【図６】
2005063189.tif 000008
【図７】
2005063189.tif 000009
【図８】
2005063189.tif 000010
【図９】
2005063189.tif 000011
【図１０】
2005063189.tif 000012
【図１１】
2005063189.tif 000013
【図１２】
2005063189.tif 000014
【図１３】
2005063189.tif 000015
【図１４】
2005063189.tif 000016
【図１５】
2005063189.tif 000017
【図１６】
2005063189.tif 000018
【図１７】
2005063189.tif 000019
【図１８】
2005063189.tif 000020
【図１９】
2005063189.tif 000021
【図２０】
2005063189.tif 000022
【図２１】
2005063189.tif 000023
【図２２】
2005063189.tif 000024
【図２３】
2005063189.tif 000025
【図２４】
2005063189.tif 000026